(57)【要約】【課題】  励磁コイルの導線の銅損にる自己発熱を有効活用できる誘導加熱装置、この加熱装置を用いた定着装置、およびそのような定着装置を含む画像形成装置を提供する。【解決手段】  誘導加熱装置は、中空の管状導体で形成され、両端に励磁用の電力が供給され、導電層２２を含む定着ベルト２０に対し、当該導電層２２に交差する交流磁界を発生する励磁コイル１０ａと、中空で管状に形成され、励磁コイル１０ａの両端に電気的に絶縁されて接続されることにより、接続された励磁コイル１０ａとの間で注入された流体の閉じた流路を形成する管状部材１２とを備える。【選択図】  図１
2012129061.tif 000002
【特許請求の範囲】
【請求項１】
中空の管状導体で形成され、両端に励磁用の電力が供給され、導電層を含む被加熱体に対し、当該導電層に交差する交流磁界を発生する励磁コイルと、
中空で管状に形成され、前記励磁コイルの両端に電気的に絶縁されて接続されることにより、接続された励磁コイルとともに注入された流体の閉じた流路を形成する管状部材とを備えることを特徴とする誘導加熱装置。
【請求項２】
更に、断熱材で形成され、前記管状部材を収容する密閉された容器を備えることを特徴とする請求項1記載の誘導加熱装置。
【請求項３】
前記容器の内部を圧縮する圧縮手段と、
前記圧縮手段を制御して前記容器の圧力を変化させる圧力制御手段と、
を備えることを特徴とする請求項２記載の誘導加熱装置。
【請求項４】
前記流体は、熱し易く冷め難いものであり、ナトリウム、油、水を含む液体を含むものであることを特徴とする請求項１から３のいずれか１項に記載の誘導加熱装置。
【請求項５】
画像形成装置の備える定着装置であって、
導電層が形成され、当該導電層が電磁誘導により加熱されて発熱する発熱部材と、
中空の管状導体で形成され、両端に励磁用の電力が供給され、前記導電層に交差する交流磁界を発生する励磁コイルと、
中空で管状に形成され、前記励磁コイルの両端に電気的に絶縁されて接続されることにより、接続された励磁コイルとともに注入された流体の閉じた流路を形成する管状部材とを備えることを特徴とする定着装置。
【請求項６】
断熱材で形成され、前記管状部材を収容する密閉された容器と、
前記容器の内部を圧縮する圧縮手段と、
前記画像形成装置が備える操作入力受付手段で入力を受け付けた操作情報と、前記画像形成装置の周囲の環境情報との少なとも一方に基づいて、前記圧縮手段を制御して前記容器の圧力を変化させる圧力制御手段と、
を備えることを特徴とする請求項５記載の定着装置。
【請求項７】
トナー像を形成する形成手段と、
前記形成手段によって形成されたトナー像を記録材上に転写する転写手段と、
前記記録材上に転写されたトナー像を当該記録材に定着する定着手段とを有し、
前記定着手段は、導電層が形成され、当該導電層が電磁誘導により加熱されて発熱する発熱部材と、中空の管状導体で形成され、両端に励磁用の電力が供給され、前記導電層に交差する交流磁界を発生する励磁コイルと、中空で管状に形成され、前記励磁コイルの両端に電気的に絶縁されて接続されることにより、接続された励磁コイルとともに注入された流体の閉じた流路を形成する管状部材とを備えることを特徴とする画像形成装置。
【発明の詳細な説明】
【技術分野】
【０００１】
本発明は、誘導加熱装置、定着装置及び画像形成装置に関する。
【背景技術】
【０００２】
従来より、複写機、プリンタ等の画像形成装置の定着装置に、定着ベルト等の発熱部材を電磁誘導によって加熱する誘導加熱装置が用いられている。このような誘導加熱装置では、発熱部材の導電層に交差する交流磁界を生成するために、励磁コイルに高周波電流を流す。高周波電流は、表皮効果によって励磁コイルの表面を流れるため、励磁コイルの抵抗成分に発生する熱量に損失が生じる。この熱損失を抑えるために、励磁コイルの導線にリッツ線が用いられている。
【０００３】
更に、例えば、特許文献１には、励磁コイルの自己発熱による温度上昇を防止するために、リッツ線の中心部に冷却管を設け、冷却管に冷却媒体を流すようにしたものがある。
【先行技術文献】
【特許文献】
【０００４】
【特許文献１】特開２００３−８４５８８号公報
【発明の概要】
【発明が解決しようとする課題】
【０００５】
本発明は、励磁コイルの導線の銅損にる自己発熱を有効活用できる誘導加熱装置、定着装置及び画像形成装置を提供することを目的とする。
【課題を解決するための手段】
【０００６】
かかる目的を達成するために請求項１に記載の誘導加熱装置は、中空の管状導体で形成され、両端に励磁用の電力が供給され、導電層を含む被加熱体に対し、当該導電層に交差する交流磁界を発生する励磁コイルと、中空で管状に形成され、前記励磁コイルの両端に電気的に絶縁されて接続されることにより、接続された励磁コイルとともに注入された流体の閉じた流路を形成する管状部材とを備えることを特徴とする。
【０００７】
請求項２に記載の誘導加熱装置は、更に、断熱材で形成され、前記管状部材を収容する密閉された容器を備えている。
【０００８】
請求項３に記載の誘導加熱装置は、前記容器の内部を圧縮する圧縮手段と、前記圧縮手段を制御して前記容器の圧力を変化させる圧力制御手段とを備える。
【０００９】
請求項４に記載の誘導加熱装置は、前記流体は、熱し易く冷め難いものであり、ナトリウム、油、水を含む液体を含むものであることを特徴とする請求項１記載のものである。
【００１０】
請求項５に記載の定着装置は、画像形成装置の備える定着装置であって、導電層が形成され、当該導電層が電磁誘導により加熱されて発熱する発熱部材と、中空の管状導体で形成され、両端に励磁用の電力が供給され、前記導電層に交差する交流磁界を発生する励磁コイルと、中空で管状に形成され、前記励磁コイルの両端に電気的に絶縁されて接続されることにより、接続された励磁コイルとともに注入された流体の閉じた流路を形成する管状部材とを備えることを特徴とする。
【００１１】
請求項６に記載の定着装置は、断熱材で形成され、前記管状部材を収容する密閉された容器と、前記容器の内部を圧縮する圧縮手段と、前記画像形成装置が備える操作入力受付手段で入力を受け付けた操作情報と、前記画像形成装置の周囲の環境情報との少なとも一方に基づいて、前記圧縮手段を制御して前記容器の圧力を変化させる圧力制御手段とを備える。
【００１２】
請求項７に記載の画像形成装置は、トナー像を形成する形成手段と、前記形成手段によって形成されたトナー像を記録材上に転写する転写手段と、前記記録材上に転写されたトナー像を当該記録材に定着する定着手段とを有し、前記定着手段は、導電層が形成され、当該導電層が電磁誘導により加熱されて発熱する発熱部材と、中空の管状導体で形成され、両端に励磁用の電力が供給され、前記導電層に交差する交流磁界を発生する励磁コイルと、中空で管状に形成され、前記励磁コイルの両端に電気的に絶縁されて接続されることにより、接続された励磁コイルとともに注入された流体の閉じた流路を形成する管状部材とを備える。
【発明の効果】
【００１３】
請求項1の構成によれば、本構成を有していない場合に比較して、励磁コイルの銅損による自己発熱を内部に注入された流体に蓄熱して有効利用できる。
【００１４】
請求項２の構成によれば、本構成を有していない場合に比較して、励磁コイルの銅損による自己発熱が蓄熱された流体を更に容器で蓄熱して有効利用を拡大できる。
【００１５】
請求項３の構成によれば、請求項２の構成の効果に加えて、流体の温度を変化させることができ、適切な有効利用が可能となる。
【００１６】
請求項４の構成によれば、請求項３の構成の効果に加えて、流体の温度を適切に制御でき、有効活用が可能となる。
【００１７】
請求項５の構成によれば、本構成を有していない場合に比較して、定着装置における発熱部材の急激な温度低下を抑制できる。
【００１８】
請求項６の構成によれば、請求項５の構成の効果に加えて、ユーザの操作状況や環境状況などの状況に応じて、流体の温度を変化させることができ、適切な有効利用が可能となる。
【００１９】
請求項７の構成によれば、本構成を有していない場合に比較して、画像形成期間と次の画像形成期間との間の定着装置における発熱部材の温度低下を抑制できるので、次の画像形成時の定着装置への電力供給が少なくて済むと共に、同様に待機時の定着装置への電力供給が少なくて済む。
【図面の簡単な説明】
【００２０】
【図１】本発明の第１の実施形態に係る誘導加熱装置を含む定着装置の斜視図である。
【図２】図１の定着装置の断面図である。
【図３】図１の定着装置が適用される画像形成装置の構成例を示す図である。
【図４】発熱部材としての定着ベルトの層構造を示す断面図。
【図５】本発明の第２の実施形態に係る誘導加熱装置を含む定着装置の斜視図である。
【図６】図５の定着装置に用いられる容器の断面図である。
【発明を実施するための形態】
【００２１】
以下、本発明の最良の実施形態について、添付図面を参照して説明する。
【００２２】
図１は、本発明の第１の実施形態に係る誘導加熱装置１００を含む定着装置２００の構成例を示す斜視図、図２は、定着装置２００の断面図、図３は、定着装置２００が適用されるタンデム型の画像形成装置３００の構成例を示す図である。
【００２３】
まず、図３の画像形成装置３００について説明する。画像形成装置３００は、タンデム型のカラープリンタであり、例えばパーソナルコンピュータ（図示せず）や画像読取装置（図示せず）等の外部装置に接続され、これらから受信される画像データなどの入力情報に対し所定の画像処理を施してイエロー（Ｙ）、マゼンタ（Ｍ）、シアン（Ｃ）、黒（Ｋ）の４色の画像データに変換する画像処理部３２１、変換されたＹＭＣＫの各色の画像データに応じて画像形成処理を行う画像形成処理部３２２、画像形成装置３００全体の動作を制御する制御部３２３、各部に電力を供給する電源装置（図示せず）を備える。
【００２４】
画像形成処理部３２２は、一定の間隔を置いて並列に配置された、トナー像を形成する形成手段としての４つの画像形成部３１０Ｙ,３１０Ｍ,３１０Ｃ,３１０Ｋ（「画像形成部３１０」とも総称する）を備える。各画像形成部３１０は、静電潜像を形成してトナー像を保持する感光体３１１を備え、感光体３１１の周囲には、帯電ロールを備えた帯電器３１２を備える。矢印Ａ方向に回転駆動される感光体３１１が、帯電器３１２により一様に帯電された後、感光体３１１上に図示しない露光装置により各色の画像データに対応して露光され、静電潜像が形成される。さらに静電潜像が現像器３１３により現像されてトナー像が形成され、感光体３１１上のトナー像は、一次転写器３１４により、矢印Ｂ方向に回転駆動される中間転写体３１７（例えば、中間転写ベルト）上に転写される。これらの処理をＹＭＣＫそれぞれ連続して行って中間転写体３１７に４色分重畳されたトナー像を形成した後、この重畳されたトナー像は、二次転写器３１５により、搬送路３１８で搬送された用紙などのシート状の記録材上に転写される。転写された記録材が搬送路３１８で搬送され、定着装置２００のニップ部で加熱、加圧されることにより、記録材上に転写されたトナー像を定着し、トナー像が定着された記録材が、定着済みの記録材を積載する積載部（図示せず）に出力されて積載される。このようにして、画像形成装置３００での画像形成処理がプリント枚数分のサイクルだけ繰り返して実行される。
【００２５】
なお、図３では省略されているが、画像形成処理部３２２は、転写後の感光体３１１表面を清掃するクリーナを備える。また、二次転写器３１５の転写ロールには、転写ロールに付着したトナーを回収するクリーニング装置が設けられ、二次転写位置より下流側には、中間転写体３１７に付着したトナーを回収するクリーニング装置が設けられる。
【００２６】
次に、本実施の形態の画像形成装置３００に配置された定着装置２００について説明する。図１、図２に示すように、定着装置２００は、電磁誘導により加熱を行う誘導加熱装置１００と、誘導加熱装置１００により電磁誘導加熱される発熱部材（被加熱体）の一例としての定着ベルト２０と、この定着ベルト２０に対向するように配置された加圧ロール３０と、定着ベルト２０を介して加圧ロール３０から押圧される押圧パッド２５（図２参照）とを備える。
【００２７】
定着ベルト２０は、無端ベルトで円筒形状である。図４の定着ベルト２０の断面図に示すように、定着ベルト２０は、内周面側から順に、耐熱性の高いシート状部材からなる基材層２１（厚さ１０〜１５０μｍ程度）、基材層２１の上に積層された導電層２２、シリコーンゴム等の弾性体で構成され、トナー像の定着性を向上させる弾性層２３（厚さ１００〜６００μｍ程度）、ＰＦＡ（テトラフルオロエチレンパーフルオロアルキルビニルエーテル重合体）等で外周面を形成する最上層に被覆された表面離型層２４（厚さ１〜５０μｍ程度）からなる多層ベルトで構成される。
【００２８】
導電層２２は、誘導加熱装置１００の励磁コイル１０ａが誘起する磁界により誘導発熱する層（発熱層）であり、鉄、コバルト、ニッケル、銅、アルミニウム、クロム等の金属層（１〜８０μｍ程度の厚さ）で形成したものが用いられる。また、導電層２２の材質および厚さは、電磁誘導による渦電流によって充分な発熱が得られる固有抵抗値を実現するように適宜選択される。定着ベルト２０は、押圧パッド２５と加圧ロール３０とで形成されるニップ部Ｎとこのニップ部Ｎの近傍とにおいて、加圧ロール３０からの圧力を受けて変形する。そのため、例えば導電率の高い銅を基材層２１上にメッキ程度にまたは蒸着等することで導電層２２（例えば、厚さ１０μｍ）を形成して、定着ベルト２０全体としての柔軟性・フレキシブル性を高めている。
【００２９】
押圧パッド２５は、加圧ロール３０と対向する位置にて、定着ベルト２０を内周側及び幅方向外側からガイドするガイド部材（図示せず）などと共に支持部材（図示せず）に支持されている。そして、押圧パッド２５は、定着ベルト２０を介して加圧ロール３０から押圧される状態で配置され、加圧ロール３０との間でニップ部Ｎを形成する。
【００３０】
加圧ロール３０は、中実の鉄製コア（円柱状芯金）３１と、コア３１の外周面に被覆されたシリコーンスポンジ等の耐熱性弾性体層３２（例えば厚さ５ｍｍ）と、さらにＰＦＡ等の耐熱性樹脂被覆または耐熱性ゴム被覆による離型層３３（例えば厚さ５０μｍ）とが積層されて構成されている。この加圧ロール３０により、例えば２０ｋｇｆの荷重で定着ベルト２０を介して押圧パッド２５を押圧している。
【００３１】
加圧ロール３０は、定着ベルト２０に対向するように配置され、図示しない駆動モータにより矢印Ｃ方向（図２参照）に、所定のプロセススピード（例えば１４０ｍｍ／ｓ程度）で回転する。この回転により定着ベルト２０は加圧ロール３０に従動して回転移動する（図２の矢印Ｄ）。そして、加圧ロール３０と押圧パッド２５とにより定着ベルト２０を挟持した状態でニップ部Ｎを形成し、このニップ部Ｎに未定着トナー像を保持した用紙などの記録材を通過させることで、熱および圧力を加えて未定着トナー像を記録材上に定着する。
【００３２】
次に、誘導加熱装置１００について説明する。誘導加熱装置１００は、支持部材１０と、支持部材１０内で保持された励磁コイル１０ａと、励磁コイル１０ａに高周波電流を供給する高周波電源装置１５０を備える。支持部材１０は、定着ベルト２０の外周面と所定の間隙（例えば０．５〜２ｍｍ）をおいて配置される。また、支持部材１０は、定着ベルト２０の幅方向に沿って、定着ベルト２０の外周面形状に倣った曲面を定着ベルト２０側に有している。
【００３３】
励磁コイル１０ａは、図１に示すように、支持部材１０内で蛇行配置されている。すなわち、図１に示すように複数本の励磁コイルが支持部材１０の長さ方向に並行に配置され、隣接する励磁コイル１０ａの端部同士は接続され、１本の励磁コイル１０ａとなっている。図２には、励磁コイル１０ａと定着ベルト２０と加圧ロール３０とを図１に示すＸＸ方向で切断した切断面の形状を示す。なお、励磁コイル１０ａの支持部材１０内での配置については、特に図１に示すものに限定するわけではなく、定着ベルト２０を均一に加熱できるような配置であればよい。
【００３４】
励磁コイル１０ａは、図２に示すように、中空の管状導体で形成される。中空の管状導体の中空部分には、流体の流れる流路１０ｂが形成される。流路１０ｂには、熱し易く冷め難い流体であり、例えば、ナトリウム、油、水などの液体を含むものが注入される。流路１０ｂに熱し易く冷め難い流体を流すことで、誘導加熱装置１００の励磁コイル１０ａが誘起する磁界により導電層２２に生じる熱を流体で蓄熱する。
【００３５】
励磁コイル１０ａのうち、支持部材１０内からその外側に延伸した部分１１ａ，１１ｂ（以下、延伸部分という）には、励磁コイル１０ａに高周波電流を供給するための、高周波電源装置１５０の配線１５１ａ、１５１ｂが接続される。高周波電源装置１５０から供給される励磁用の高周波電流を励磁コイル１０ａに流すことによって、定着ベルト２０の導電層２２に交差する交流磁界が発生する。
【００３６】
また、励磁コイル１０ａの延伸部分１１ａ、１１ｂのうち、高周波電源装置１５０の配線１５１ａ、１５１ｂとの接続部分よりも先端側は、略コ字形状をした管状部材１２にそれぞれ結合している。管状部材１２は、中空の管状に形成され、内部に励磁コイル１０ａの流路１０ｂを流れる流体が流れる。励磁コイル１０ａの延伸部分１１ａ、延伸部分１１ｂを中空の管状部材１２の端部１２１ａ，１２１ｂにそれぞれ接続することで、励磁コイル１０ａ内の流路１０ｂと、その延伸部分１１ａ、１１ｂと、管状部材１２とを流れる流体の流路が閉ループとなる。管状部材１２は、絶縁部材で形成された絶縁パイプであり、励磁コイル１０ａに流れる高周波電流を絶縁する部材として使用される。
【００３７】
高周波電源装置１５０は、駆動部１５２と、この駆動部１５２の駆動を制御する駆動制御部１５３とを備える。励磁コイル１０ａには並列に共振用コンデンサ（不図示）が接続されている。励磁コイル１０ａと共振用コンデンサとによって並列のＬＣ共振回路を構成している。駆動部１５２は、入力電力として供給される直流電圧（電流）をトランジスタなどのスイッチング素子で、オン、オフのスイッチングすることにより、励磁コイル１０ａに供給される電力を制御する。なお、励磁コイル１０ｂに電力供給を行う励磁回路の詳細については、例えば、特開２００７−６６５６０号公報に説明がある。また、ＬＣ共振回路は、直列の共振回路としても良い。
【００３８】
制御部３２３は、画像形成装置３００の監視箇所としての各部に設けられたセンサなどにより、環境情報として、温度や湿度などを監視しており、その環境情報や、ユーザの操作情報などの制御情報に基づいて、各部を制御している。この定着装置２００の誘導加熱装置１００に対しては、定着ベルト２０などの温度情報を含む環境情報や操作情報をセンサなどから受信し、所定の温度範囲に収まるように、指示値を駆動制御部１５３に出して制御する。駆動制御部１５３では、例えば、出力電圧などの出力値に対応した検出値と、基準出力に対応した基準値とを比較し、指示値に対応した出力値になるようにスイッチング素子の駆動を制御する。例えば、指示値は、スイッチング素子のオンデューティで指示される。
【００３９】
高周波電源装置１５０から所定の周波数の交流電流が励磁コイル１０ａの延伸部分１１a、１１ｂに供給されることにより、励磁コイル１０ａの周囲には、励磁コイル１０ａを中心とする交流磁界Ｈが生成される。交流磁界Ｈ（磁力線）が定着ベルト２０の導電層２２を横切る際に、導電層２２には、その交流磁界Ｈの変化を妨げる磁界を生成するように渦電流Ｉが発生する。そして、渦電流Ｉが導電層２２を流れることによって、導電層２２の抵抗値Ｒに比例したジュール熱Ｗ（Ｗ＝Ｉ２Ｒ）が発生し、定着ベルト２０が加熱される。その際の励磁コイル１０ａに印加する交流電流の周波数は、例えば１０〜５０ｋＨｚに設定される。同時に、制御部３２３が制御情報に基づいて、誘導加熱装置１００の駆動制御部１５３を制御することにより所定の温度範囲に加熱温度を制御する。一方、励磁コイル１０ａの流路１０ｂには、熱し易く冷め難い流体が注入されており、流路内の温度差などにより自然対流し、注入されている流体が流路内を循環する。
【００４０】
従って、励磁コイル１０ａに発生する熱や導電層２２の渦電流により発熱する定着ベルト２０の熱によって、励磁コイル１０ａの流路１０ｂを流れる流体が温められ、さらに、この温められた流体が励磁コイル１０ａの流路１０ｂ内を循環することにより、定着装置２００が蓄えた熱を蓄熱し、定着装置２００の急激な温度低下を防止することが可能となる。また、例えば、画像形成装置３００のコピーとコピーの間や、印刷と印刷の間などの、ある画像形成期間とその次の画像形成期間の間で定着装置２００の温度（熱）は、ゆっくり低下するので、再コピー（印刷）などの再画像形成をする際にも定着装置２００への電力供給が少なくてすむ。
【００４１】
本実施の形態の定着装置２００では、誘導加熱装置１００により定着ベルト２０を電磁誘導により加熱することで、発熱部材（被加熱体）としての定着ベルト２０を定着可能温度まで上昇させる時間が短縮化されると共に、励磁コイル１０ａとその延伸部分１１ａ、１１ｂ及び管状部材１２で形成された閉じた流路内の流体による蓄熱作用により、定着装置２００の温度低下を抑制し、外部空間への放熱も防止できるので、エネルギーの利用効率が向上する。
【００４２】
次に、本発明の第２の実施形態に係る誘導加熱装置１０１を含む定着装置２０１を図５の斜視図を参照して説明する。図１の斜視図を参照して述べた誘導加熱装置１００を含む定着装置２００からの相違点について述べる。図５で、図１と同一性のある部分については、同じ参照符号で示す。なお、図２の定着装置の断面図は共通である。誘導加熱装置１０１には、図６（Ａ）の断面図に示すように、ジグザグに折り曲げたり、螺旋状などの形状に巻いたりすることで寸法を長くした管状部材１２を収容する、密閉された熱溜（タンク）としての容器１３０が追加された。容器１３０は、断熱材で形成される。
【００４３】
この容器１３０により、流路１０ｂに注入された流体の熱溜として働き、蓄熱性が良くなる。
【００４４】
更に、図５の点線及び図６（Ｂ）で示すように、容器１３０内部にある空気などを圧縮し、容器１３０内の圧力を変化させる圧縮手段１３１としてピストンなどを設け、定着ベルト２０の温度低下期間、例えば、ある画像形成期間と次の画像形成期間などに、容器１３０内部の圧力を圧縮手段１３１により高めることにより、流体の温度を高くし、熱溜の効果を高くして定着装置２００の温度低下を抑制することを可能としている。この圧縮手段１３１を駆動手段（図示せず）及び圧力制御部１３２を介して制御部３２３で制御する構成とすることもできる。制御部３２３が、温度の上昇を加速あるいは低下させるような操作指示としてのユーザによるスイッチなどの操作情報や、定着ベルト２０などからの温度センサを含む各種センサからの環境情報を受信監視し、それらの情報に応じて、定着装置２００の温度低下期間に高周波電源装置１５０の駆動制御部１５３を温度を上げるように制御すると共に、圧力制御部１３２に容器１３０の内部の圧力を増すように制御指示を出し、圧力制御部１３２がその制御指示に応じて、圧縮手段１３１で容器１３０内を圧縮駆動させることにより、容器１３０内の圧力を高め、温度低下を抑制することができる。同様に、所定温度範囲より高い場合は、制御部３２３により、駆動制御部１５３を介して駆動部１５２に対して温度を下げるように制御すると共に、圧力制御部１３２を介して圧縮手段１３１に対して容器１３０内部の圧力を減らす駆動をさせることにより、効率的に、定着ベルト２０の温度を所定範囲に収めることができる。
【００４５】
以上述べた実施の形態では、励磁コイル１０ａの閉じた流路１０ｂに注入された流体を自然対流などで循環させていたが、ポンプなどを管状部材１２側に設けることにより、流体を強制循環させても良い。また、励磁コイル１０ａを定着ベルト２０の外側に設けていたが、定着ベルト２０の内側に設けても良いし、双方に設けても良い。さらに、誘導加熱装置を、発熱部材としての定着装置の定着ベルトに適用させていたが、定着ベルト以外にも、感光体や中間転写体の加熱に適用できると共に、画像形成装置の構成要素以外の被加熱体の加熱に適用できるのは、明らかである。
【００４６】
以上本発明の好ましい実施例について詳述したが、本発明は係る特定の実施例に限定されるものではなく、特許請求の範囲に記載された本発明の要旨の範囲内において、種々の変形、変更が可能である。
【符号の説明】
【００４７】
１０…支持部材
１０ａ…励磁コイル
１０ｂ…流路
１２…管状部材
２０…定着ベルト（発熱部材）
２２…導電層
２５…押圧パッド
３０…加圧ロール
１００、１０１…誘導加熱装置
１３０…容器
１３１…圧縮手段
１３２…圧力制御部
１５０…高周波電源装置
１５２…駆動部
１５３…駆動制御部
２００、２０１…定着装置（定着手段）
３００…画像形成装置
３１０（３１０Ｙ、３１０Ｍ、３１０Ｃ、３１０Ｋ）…画像形成部（形成手段）
３１５…二次転写器（転写手段）
３２１…画像処理部
３２２…画像形成処理部
３２３…制御部
【図１】
2012129061.tif 000003
【図２】
2012129061.tif 000004
【図３】
2012129061.tif 000005
【図４】
2012129061.tif 000006
【図５】
2012129061.tif 000007
【図６】
2012129061.tif 000008